(57)【要約】【課題】この発明は、構成簡易にして、高効率な暖房機能を確保したうえで、優れた装飾性を得られるようにすることにある。【解決手段】ハウジング１４内に配した蓄熱体（図示せず）からの熱量を、輻射熱による自然放熱より放出する前面パネルを含む両側面パネルを、略コ字状に組み合わせたセラミック製外壁１１２，１２２，１３２を有する前壁面板１１、第１及び第２の側壁面板１２，１３で囲う如く覆い、この前壁面板１１、第１及び第２の側壁面板１２，１３の上部開口側に石材板１５を位置決め配置し、ハウジング１４の前面パネルから自然放熱される熱量を、前壁面板１１、第１及び第２の側壁面板１２，１３のセラミック製外壁１１２，１２２，１３２から自然放熱より放出させるように構成した。【選択図】      図１
2007071477.tif 000002
【特許請求の範囲】
【請求項１】
ハウジングに蓄熱体が内装され、前記ハウジングの前面パネルから前記蓄熱体に蓄熱された熱量を輻射熱による自然放熱より放出する蓄熱暖房器本体と、
前記ハウジングの少なくとも前面パネル及び該前面パネルを挟む両側面パネルに対して空隙を有して対向配置されるものであって、前記ハウジングに対向される金属製内壁と装飾性外壁が積重された前記蓄熱体の熱量を自然放熱により放出する略コ字状の壁面板と、
この壁面板を前記ハウジングに着脱自在に固定する固定手段と、
前記壁面板の金属製内壁に着脱自在に支持されて前記壁面板の上方側開口を閉塞する前記ハウジングの上面に対向されて位置決め配置される石材板と、
この石材板と前記ハウジング上面との間に介在され、相互間に空隙を形成する耐熱性を有した弾性部材と、
を具備することを特徴とする蓄熱暖房器のカバー装置。
【請求項２】
前記壁面板は、前面パネルに前記蓄熱暖房器の吹出し口及び吸気口に対向して開口が設けられることを特徴とする請求項１記載の蓄熱暖房器のカバー装置。
【請求項３】
前記壁面板は、前記ハウジングの前面パネルに対向する前壁面と、前記ハウジングの両側面パネルに対向する両側壁面が分割自在に形成されることを特徴とする請求項１又は２記載の蓄熱暖房器のカバー装置。
【請求項４】
前記壁面板は、前記金属製内壁と前記装飾性外壁との間に空隙が形成されることを特徴とする請求項１乃至３のいずれか記載の蓄熱暖房器のカバー装置。
【請求項５】
前記装飾性外壁は、セラミックで構成されることを特徴とする請求項１乃至４のいずれか記載の蓄熱暖房器のカバー装置。
【請求項６】
前記石材板は、ネイチャーストーンで形成されることを特徴とする請求項１乃至５のいずれか記載の蓄熱暖房器のカバー装置。
【請求項７】
前記弾性部材は、シリコンゴム部材で形成されることを特徴とする請求項１乃至６のいずれか記載の蓄熱暖房器のカバー装置。
【発明の詳細な説明】
【技術分野】
【０００１】
この発明は、例えば深夜電力等を利用して蓄熱体に蓄熱し、その熱量を輻射熱による自然放熱により室内暖房を行う蓄熱暖房器に係り、特に、その暖房使用時を基より暖房不使用時においても被着可能なカバー装置に関する。
【背景技術】
【０００２】
一般に、この種の蓄熱暖房器は、例えば電気料金の安価な深夜の時間帯にハウジング内に配した高温蓄熱体を電気ヒータで加熱し、この蓄熱体に蓄熱された熱量を昼間等の暖房時に輻射熱による自然放熱により徐々に放出することにより、室内の暖房を行う暖房構造を有することが知られている。
【０００３】
ところで、このような蓄熱暖房器は、その構造上、重量が３００ｋｇ程度を有することで、一般的に、室内の所望の位置に設置すると、未使用期間においても、片付けたりすることなく、秋、冬、春、そして、夏の寒い日等の一年中、何時でも室内の暖房が可能に設置しておく方法が採られている。
【特許文献１】特許第３４２６５５５号公報
【特許文献２】実公平７−１８９３１号公報
【発明の開示】
【発明が解決しようとする課題】
【０００４】
しかしながら、上記蓄熱暖房器では、暖房使用時における高効率で人に優しい暖房を実現することが可能であるが、室内の所望の位置に一年中、使用が可能に設置されることで、室内における装飾性の要求がある。
【０００５】
この発明は上記の事情に鑑みてなされたもので、構成簡易にして、高効率な暖房機能を確保したうえで、優れた装飾性を得られるようにした蓄熱暖房器のカバー装置を提供することを目的とする。
【課題を解決するための手段】
【０００６】
この発明は、ハウジングに蓄熱体が内装され、前記ハウジングの前面パネルから前記蓄熱体に蓄熱された熱量を輻射熱による自然放熱により放出する蓄熱暖房器本体と、前記ハウジングの少なくとも前面パネル及び該前面パネルを挟む両側面パネルに対して空隙を有して対向配置されるものであって、前記ハウジングに対向される金属製内壁と装飾性外壁が積重された前記蓄熱体の熱量を自然放熱より放出する略コ字状の壁面板と、この壁面板を前記ハウジングに着脱自在に固定する固定手段と、前記壁面板の金属製内壁に着脱自在に支持されて前記壁面板の上方側開口を閉塞する前記ハウジングの上面に対向されて位置決め配置される石材板と、この石材板と前記ハウジング上面との間に介在され、相互間に空隙を形成する耐熱性を有した弾性部材とを備えて蓄熱暖房器のカバー装置を構成した。
【０００７】
上記構成によれば、蓄熱暖房器本体は、そのハウジングの前面パネルを含む周壁が壁面板に覆われ、その上面が石材板に覆われることにより、これら壁面板の装飾性外壁及び石材板による暖炉の如き重厚感のある装飾性に優れた外観が得られる。そして、暖房時には、ハウジングの前面パネルから輻射熱により自然放熱された熱量が、壁面板の前面パネルに対設される金属製内壁を通って装飾性外壁から自然放熱により放出されることにより、優しい高効率な室内暖房が行われる。
【発明の効果】
【０００８】
以上述べたように、この発明によれば、構成簡易にして、高効率な暖房機能を確保したうえで、優れた装飾性を得られるようにした蓄熱暖房器のカバー装置を提供することができる。
【発明を実施するための最良の形態】
【０００９】
以下、この発明の実施の形態について、図面を参照して詳細に説明する。
【００１０】
図１は、この発明の一実施の形態に係る蓄熱暖房器のカバー装置の外観構成を示すもので、壁面板１０は、前壁面板１１を挟んで第１及び第２の側壁面板１２，１３が略コ字状に組み立て形成される。この壁面板１０を構成する前壁面板１１、第１及び第２の側壁面板１２，１３は、周知の蓄熱暖房器本体を構成するハウジング１４の前面パネル及び両側面パネルを覆うように設置される（図２及び図３）。これら前壁面板１１、第１及び第２の側壁面板１２，１３の上部開口側には、大理石等のネイチャーストーンによる石材板１５が、上記ハウジング１４の上面との間に断熱性を有する弾性部材、例えばシリコンゴム部材１６（図３参照）が介在されて被される。
【００１１】
上記ハウジング１４には、図示しない蓄熱体が内装され、この蓄熱体（図示せず）が図示しない電気ヒータにより加熱されて熱量が蓄熱されて、その熱量が、前面パネルから輻射熱による自然放熱により徐々に放出され、この熱量が上記前壁面板１１、第１及び第２の側壁面板１２，１３を通って室内に放出されて暖房が行われる。
【００１２】
上記前壁面板１１は、図２に示すようにハウジング１４のパネル面に対設される板状の金属製内壁１１１と、装飾性外壁である、例えばタイルを含むセラミックで構成される板状のセラミック製外壁１１２が所定の空隙（隙間）を有して積重されてそれぞれ形成される。そして、上記第１及び第２の側壁面板１２，１３は、上記前壁面板１１と、同様にハウジング１４のパネル面に対設される板状の金属製内壁１２１，（図３参照、但し、図３においては、図の都合上、第１の側壁面板１２のみを図示し、第２の側壁面板１３を図示せず）と、装飾性外壁である、例えばタイルを含むセラミックで形成される板状のセラミック製外壁１２２，（図３参照、同様にして図示せず）が所定の空隙（隙間）を有して積重されてそれぞれ形成される。
【００１３】
これら前壁面板１１、第１及び第２の側壁面板１２，１３の各セラミック製外壁１１２，１２２，（図示せず）には、その表面に例えば暖炉の壁面のような模様が形成され、上記石材板と協働して重厚感のある美術品の如き機能を奏する。この前壁面板１１、第１及び第２の側壁面板１２，１３の各セラミック製外壁１１２，１２２及び（図示せず）を構成するセラミックとしては、ニューセラミック材料等が含まれる。
【００１４】
上記前壁面板１１には、その下端部に切欠き状の開口部１１３が、上記ハウジング１４に設けられる吹出し口１４１及び吸引口１４２に対応して設けられる。これら吹出し口１４１及び吸引口１４２は、ハウジング１４内に配される図示しない強制送風機構の送風口及び吸気口に連通される。この開口部１１３は、上記ハウジング１４内の強制送風機構（図示せず）から送風されて上記吹出し口１４１に導かれた空気を室内に送風案内すると共に、その吸引口１４２からハウジング１４内の強制送風機構（図示せず）への外部空気の吸引を案内する。
【００１５】
そして、前壁面板１１の金属製内壁１１１には、その上端部に固定手段を構成する折曲された折曲係止部１１４が形成される。この折曲係止部１１４には、例えば帯状の係止部材１７の一端部に形成された壁面板取付け用の第１の係止爪１７１が係止される（図４及び図５参照）。
【００１６】
この係止部材１７には、その中間部が上記ハウジング１４の前面側と背面側との間に架け渡されて配置され、その他端部にハウジング取付け用の第２の係止爪１７２が、上記蓄熱暖房器本体を構成するハウジング１４の背面に設けられた複数の長孔１４３に対応して形成される。この複数の長孔１４３は、例えば上記ハウジング１４の背面に枠状に突出形成された本体背面位置決め用の背面突出部１４５に所定の間隔を有して設けられ、ハウジング１４の背面側の熱の移動が可能な空気孔を形成するもので、選択的に上記係止部材１７の第２の係止爪１７２が係止されて壁面板１０の固定手段として、兼用される。
【００１７】
上記係止部材１７は、複数本の各第２の係止爪１７２をハウジング１４の所望の長孔１４３に所定の間隔を有して係止させた状態で、その中間部をハウジング１４の上面パネル上に載置して、その各第１の係止爪１７１を上記前壁面板１１の金属製内壁１１１の折曲係止部１１４に所定の間隔を有して係止させることで、該前壁面板１１をハウジング１４の前面パネルに対設して吊着する。
【００１８】
また、上記前壁面板１１の金属製内壁１１１には、その第１及び第２の側壁面板１２，１３に対向する両側部にそれぞれ同様に複数、例えば２個の係止孔１１５が上端部側から所定の間隔を有して設けられる（図２参照、但し、図中では、第２の側壁面板１２側のみを図示）。
【００１９】
そして、上記第１の側壁面板１２の金属製内壁１２１には、その一方の側部に第１の係止部１２３が複数、例えば２個が前壁面板１１の金属製内壁１１１の両側部の係止孔１１５に対応して所定の間隔に形成され、その各他方の側部に複数、例えば２個の第２の係止部１２４がハウジング１４の背面突出部１４５の側方辺部の長孔１４３に対応して所定の間隔に突出して形成される（図３中では、図の都合上、第１の側壁面板１２の一方の側部のみを図示し、他方の側部を図示せず）。
【００２０】
なお、上記第２の側壁面板１３においても、第１の側壁面板１２の一方の側部に配される第１の係止部１２３と、他方の側部に配される第２の係止部１２４と略同様の第１及び第２の係止部（図３中では、図の都合上、図示せず）が、第１の側壁面板１２の配置位置と逆側となる側部に設けられるものであるが、第１の側壁面板１２の場合と、その配置位置が異なるだけで、略同様に形成されることで、便宜上、その配置構成の詳細な説明を省略する。
【００２１】
この第１の側壁面板１２は、その第１の係止部１２３を前壁面板１１の金属製内壁１１１の係止孔１１５に係止させ、その各第２の係止部１２４を、上記ハウジング１４の背面突出部１４５の側方辺部の長穴１４３に係止させる。これにより、第１の側壁面板１２は、その下端部がそれぞれ床等の設置面に載置された状態で、前壁面板１１に対して組付け固定される。
【００２２】
なお、第２の側壁面板１３は、図３中において、図示していないが上述した第１の側壁面板１２と同様にしてハウジング１４の他方の側面パネルに対設して組み付けられる（図１参照）。
【００２３】
さらに、上記第１の側壁面板１２の金属製内壁１２１には、その上端部に石材板取付け用の係止突部１２５が突出されて形成される。そして、この係止突部１２５は、上記前壁面板１１、第１及び第２の側壁面板１２，１３の上方開口に被された石材板１５の裏面に形成される図示しない係止凹部に挿入収容される。
【００２４】
また、上記第２の側壁面板１３においても同様に図示しない金属製内壁に石材板取付け用の係止突部が突出されて形成され、同様に石材板１５の裏面に形成される図示しない係止凹部に挿入収容される。これにより、石材板１５は、前壁面板１１、第１及び第２の側壁面板１２，１３で形成される上部開口側を閉塞した状態で、その凹部が第１及び第２の側壁面板１２，１３の金属製内壁１２１，（図示せず）の係止突部１２５，（図示せず）により位置規制される。
【００２５】
ここで、石材板１５は、蓄熱暖房器本体を構成するハウジング１４の上面との間に、複数、例えば２本のシリコンゴム部材１６が所定の間隔に介在されて熱量のたまりを構成する空隙（隙間）を有して前壁面板１１、第１及び第２の側壁面板１２，１３の上部開口側に配していることで、ハウジング１４からの振動の伝達が防止される。同時に、石材板１５は、ハウジング１４からの熱量がシリコンゴム部材１６により、直接的に移動するのが防止される。
【００２６】
上記構成により、ハウジング１４に壁面板１０を被着する場合には、先ず、ハウジング１４の上面に複数の係止部材１７を、その第２の係止爪１７２を背面突出部１４５の所望の長孔１４３に係止させ（図４参照）、この係止部材１７の第１の係止爪１７１に前壁面板１１の折曲係止部１１４を係止させる。この際、前壁面板１１は、その側部の弾性係止部１１６をハウジング１４の側部に弾性係止させる（図２参照）。
【００２７】
そして、このハウジング１４の両側面には、第１及び第２の側壁面板１２，１３が、その２個の第１の係止部１２３，（図示せず）を前壁面板１１の金属製内壁１１１の係止孔１１５にそれぞれ係止させて、その２個の第２の係止部１２４，（図示せず）を、ハウジング１４の背面突出部１４５の両側方辺部に配した長孔１４３に係止させて組み付けられる（図３参照）。これにより、前壁面板１１は、ハウジング１４に位置決め固定され、その第１及び第２の側壁面板１２，１３とでハウジング１４の前面パネル、両側面パネルを囲んだ状態に略コ字状に組付け配置される（図１参照）。
【００２８】
次に、上記略コ字状に組付けた前壁面板１１、第１及び第２の側壁面板１２，１３の上部開口側には、石材板１５が、例えば２本のシリコンゴム部材１６をハウジング１４の上面との間に所定の間隔に介在させて被される。この際、石材板１５は、その凹部（図示せず）に対して上記第１及び第２の側壁面板１２，１３の各金属製内壁１２１，（図示せず）の係止突部１２５，（図示せず）が挿入される。
【００２９】
ここで、上記石材板１５は、前壁面板１１、第１及び第２の側壁面板１２，１３の上部開口側を閉塞した状態で、係止突部１２５，（図示せず）により、その凹部（図示せず）が位置決めされ、前壁面板１１、第１及び第２の側壁面板１２，１３の各セラミック製外壁１２２，１３２と協働してハウジング１４の周囲に暖炉のような重厚感のある装飾品の如く配置される。
【００３０】
そして、ハウジング１４内の上記蓄熱体（図示せず）から熱量が輻射熱による自然放熱により前面パネルから放出されると、その熱量は、前壁面板１１、第１及び第２の側壁面１２，１３板の各セラミック製外壁１２２，１３２から自然放熱により放出され、室内の暖房が行われる。
【００３１】
このように、上記蓄熱暖房器のカバー装置は、ハウジング１４内に配した蓄熱体（図示せず）からの熱量を、輻射熱による自然放熱より放出する前面パネルを含む両側面パネルを、略コ字状に組み合わせたセラミック製外壁１１２，１２２，１３２を有する前壁面板１１、第１及び第２の側壁面板１２，１３で囲う如く覆い、この前壁面板１１、第１及び第２の側壁面板１２，１３の上部開口側に石材板１５を位置決め配置し、ハウジング１４の前面パネルから自然放熱される熱量を、前壁面板１１、第１及び第２の側壁面板１２，１３のセラミック製外壁１１２，１２２，１３２から自然放熱より放出させるように構成した。
【００３２】
これによれば、蓄熱暖房器本体を構成するハウジング１４の前面パネルを含む周壁が前壁面板１１、第１及び第２の側壁面板１２，１３に覆われ、その上面が石材板１５に覆われることにより、これら前壁面板１１、第１及び第２の側壁面板１２，１３のセラミック製外壁１１２，１２２，１３２及び石材板１５による暖炉の如き重厚感のある装飾性に優れた外観が得られる。そして、暖房時には、ハウジング１４の前面パネルから輻射熱により自然放熱された熱量が、前面パネルに対設される前壁面板１１、第１及び第２の側壁面板１２，１３を通って室内に放出されることにより、自然放熱による高効率な室内暖房が実現される。
【００３３】
なお、上記実施の形態では、前壁面板１１、第１及び第２の側壁面板１２，１３を一枚の板状構造に形成するように構成した場合で説明したが、これに限ることなく、その他、例えば蓄熱暖房器本体のハウジング１４に配する操作部を配するハウジング構造に適用する場合、例えば操作部に対応して前壁面板１１、第１及び第２の側壁面板１２，１３に開閉扉を設けるように構成することも可能である。
【００３４】
また、上記実施の形態では、壁面板１０を前壁面板１１、第１及び第２の側壁面板１２，１３の３枚で形成するように構成した場合で説明したが、この板構造に限ることなく、その他の板構造で構成することも可能である。
【００３５】
さらに、上記実施の形態では、壁面板１０をハウジング１４の背面突出部１４５を利用してハウジング１４に組付け配置するように構成した場合で説明したが、これに限ることなく、その他、各種の組付け構造を用いてハウジング１４に組付け配置するように構成することも可能である。
【００３６】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００３７】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３８】
【図１】この発明の一実施の形態に係る蓄熱暖房器のカバー装置の外観構成を示した斜視図である。
【図２】図１のハウジングに前壁面板を組付ける状態を示した一部分解斜視図である。
【図３】図２の前壁面板に続いて側壁面板を組付ける状態を示した一部分解斜視図である。
【図４】図１のハウジングに係止部材を取付けた状態を示した斜視図である。
【図５】図４の係止部材をハウジングの背面突出部の長孔に係止させた状態の詳細を示した拡大図である。
【符号の説明】
【００３９】
１０…壁面板、１１…前壁面板、１１１…金属製内壁、１１２…セラミック製外壁、１１３…開口部、１１４…折曲係止部、１１５…係止孔、１２…第１の側壁面板、１２１…金属製内壁、１２２…セラミック製外壁、１２３…第１の係止部、１２４…第２の係止部、１２５…係止突部、１３…第２の側壁面板、１３２…セラミック製外壁、１４ハウジング、１４１…吹出し口、１４２…吸引口、１４３…長孔、１４５…背面突出部、１５…石材板、１６…シリコンゴム部材、１７…係止部材、１７１…第１の係止爪、１７２…第２の係止爪。
【図１】
2007071477.tif 000003
【図２】
2007071477.tif 000004
【図３】
2007071477.tif 000005
【図４】
2007071477.tif 000006
【図５】
2007071477.tif 000007